(57)【要約】【課題】本発明は、複数の表示パネルを接合してなる複合型表示装置において、各パネルの表示部を隙間なく隣接して配置し、パネル接合部における画像分断を生じないようにする。【解決手段】表示パネル２０の表示部２０Ｂの外側に配された透明な基材部２０Ａを、表示パネル１０の表示部１０Ｂに重ねる。同様に、表示パネル３０の表示部３０Ｂの外側に配された透明な基材部３０Ａを、表示パネル２０の表示部２０Ｂに重ねる。このように互いに隣接する一方の表示パネルの表示部の外側に配された透明な基材部を他方の表示パネルの表示部に重ねることで、各表示パネル１０〜３０の表示部１０Ｂ〜３０Ｂを平面視で隙間なく隣接して配置することができる。【選択図】  図１
2004251981.tif 000002
【特許請求の範囲】
【請求項１】
透明な基材を用いた複数の表示パネルが互いに接合され、前記各表示パネルの出力画像が複合されて一の画像表示がなされる複合型の表示装置であって、
互いに隣接する一方の表示パネルの表示部の外側に配された透明な基材部が他方の表示パネルの表示部に重ねられ、前記各表示パネルの表示部が平面視で隙間なく隣接して配置されたことを特徴とする、複合型表示装置。
【請求項２】
前記透明な基材部の重なり方向が、表示パネルの並び方向に対して互い違いとなるように接合された連続する三以上の表示パネルを含むことを特徴とする、請求項１記載の複合型表示装置。
【請求項３】
前記各表示パネルが、前記表示部の端辺に駆動部を有する反射型又は自発光型の表示パネルとして構成され、
互いに隣接する一方の表示パネルの表示部が他方の表示パネルの駆動部に重ねて配置されるとともに、前記一方の表示パネルの表示部の外側に配された透明な基材部が前記他方の表示パネルの表示部に重ねて配置されたことを特徴とする、請求項１記載の複合型表示装置。
【請求項４】
前記自発光型の表示パネルが、ボトムエミッション型のパネルであることを特徴とする、請求項３記載の複合型表示装置。
【請求項５】
透明な基材を用いた複数の表示パネルが互いに接合され、前記各表示パネルの出力画像が複合されて一の画像表示がなされる複合型の表示装置であって、
互いに接合された複数の表示パネルからなるパネルユニットを複数備え、
前記各パネルユニットにおいて、互いに隣接する一方の表示パネルの表示部の外側に配された透明な基材部は他方の表示パネルの表示部に重ねられ、前記各表示パネルの表示部が平面視で隙間なく一方向に隣接配置されて一つの表示面が構成され、
互いに隣接する一方のパネルユニットの表示面の外側に配された透明な基材部は他方のパネルユニットの表示面に重ねられ、前記各パネルユニットの表示面が、パネルユニット内の表示パネルの並び方向と異なる方向に平面視で隙間なく隣接配置されたことを特徴とする、複合型表示装置。
【請求項６】
前記各表示パネルの表示部において、隣接する他の表示パネルの基材部と平面的に重なる領域とそれ以外の領域との輝度差を補償するための補償駆動がなされることを特徴とする、請求項１〜５のいずれかの項に記載の複合型表示装置。
【発明の詳細な説明】
【０００１】
【発明の属する技術分野】
本発明は、複数の表示体を組み合わせて大画面表示を得る複合型表示装置に関するものである。
【０００２】
【従来の技術】
表示装置の分野では、大型化，高精細化に対するニーズが高く、このような大画面表示を実現する手段として、小型の表示パネルを多数組み合わせて大画面化する方法が提案されている（特許文献１参照）。
【０００３】
図１１は４枚の表示パネルを組み合わせた従来の複合型表示装置を示している。
図１１の各表示パネル１０１〜１０４は、それぞれ中央部に複数の画素Ｐからなる矩形の表示部１０１Ｂ〜１０４Ｂを備え、表示部の少なくとも１つの端辺に、各画素Ｐをマトリクス駆動するための駆動部１０１Ｃ〜１０４Ｃ，１０１Ｄ〜１０４Ｄが設けられている。そして、駆動部１０１Ｃ〜１０４Ｃ，１０１Ｄ〜１０４Ｄの設けられない端辺における各表示パネルの端面同士を突き合わせて接合することで、４つの表示部１０１Ｂ〜１０４Ｂが複合された大型の表示面１００が形成されている。
【０００４】
このような複合型の表示装置では、通常、接合部２００が目立たないように、各表示パネル１０１〜１０４の表示部１０１Ｂ〜１０４Ｂの外側に配されるパネル端部の領域１０１Ｅ〜１０４Ｅの内、接合部２００側にある余分な基板部分（基材部）をダイシング加工して、隣接する表示部の間隔ができるだけ短くなるようにしている。また、前記特許文献１に開示されるように、ダイシング加工された前記端面の角部を更に斜めに加工し、前記端面同士が突き合わされることで形成される溝の内部に接着剤を充填して、接着剤の厚みを目立たなくする方法も提案されている。
【０００５】
【特許文献１】
特開２００２−２９７０６５号公報
【０００６】
【発明が解決しようとする課題】
しかしながら、上述のように突き合わせにより表示体同士を接合する場合、接合部２００の厚みは、表示体の画素ピッチ程度の大きさに制御される必要があるが、このような端面処理は実質的に不可能であり、接合部２００における画像の分断を完全に解消することは困難であった。
本発明は、上述の課題に鑑み創案されたもので、接合部における画像の分断を生じない複合型表示装置を提供することを目的とする。
【０００７】
【課題を解決するための手段】
前記目的を達成するために、本発明の複合型表示装置は、透明な基材を用いた複数の表示パネルが互いに接合され、前記各表示パネルの出力画像が複合されて一の画像表示がなされる複合型の表示装置であって、互いに隣接する一方の表示パネルの表示部の外側に配された透明な基材部が他方の表示パネルの表示部に重ねられ、前記各表示パネルの表示部が平面視で隙間なく隣接して配置されたことを特徴とする。
【０００８】
本構成では、隣接する一方の表示パネルにおいて表示部の外側に配される余分な基材部を他方の表示パネルの表示部に重ねて配置することで、平面視したときに、各表示部が隙間なく連続して配置されるようにしている。このため、突き合わせにより各表示パネルを接合する従来のものと比較して、余分な基材部を切削するための加工処理が不要となり、又、接合部における接着剤の厚み等が問題となることもない。また、隣接する表示部の間隔は、表示パネルを重ねて接合する際の位置合わせにより高精度に制御できるため、接合部における画像の分断を完全に解消することができる。なお、隣接する表示パネルは接着剤等により接合されるが、このような接合部において表示光が散乱されないように、接着剤は、表示パネルを構成する基材と同程度の屈折率を有する材料であることが望ましい。
【０００９】
この際、複合表示装置には、前記透明な基材部の重なり方向が、表示パネルの並び方向に対して互い違いとなるように接合された連続する三以上の表示パネルが含まれることが好ましい。ここで、順に連続して配置された第１のパネル，第２のパネル，第３のパネルが互い違いに重ねられるとは、次のような状態をいう。すなわち、第２のパネルが第１のパネルに対して下方に配され、第２のパネルの一端において第１のパネルと接合される一方、第３のパネルが第２のパネルに対して上方に配され、第２のパネルの他端において第２のパネルと接合された状態をいう。或いは、第２のパネルが第１のパネルに対して上方に配され、第２のパネルの一端において第１のパネルと接合される一方、第３のパネルが第２のパネルに対して下方に配され、第２のパネルの他端において第２のパネルと接合された状態をいう。
なお、第２のパネルが第１のパネルに対して下方に配され、この第２のパネルの一端において前記第１のパネルと接合される一方、第３のパネルが第２のパネルに対して下方に配され、第２のパネルの他端において第２のパネルと接合された状態を、本明細書では、各パネルが階段状に配された状態とし、前記互い違いに配された状態と区別する。
【００１０】
このように、連続的に配置された三以上の表示パネルを互い違いに接合することで、この部分の表示装置の厚みを表示パネル２枚分の厚みとすることができ、複合表示装置を薄型化することができる。この場合、複合表示装置を最も薄型化する観点からは、表示装置を構成する全ての表示パネルを互い違いに接合することが望ましいが、一部の表示パネルのみ互い違いに接合した場合であっても、前記効果は得られる。
【００１１】
また、各表示パネルが周辺回路内蔵型の反射型又は自発光型の表示パネルである場合、互いに隣接する一方の表示パネルの表示部を他方の表示パネルの駆動部に重ねるとともに、前記一方の表示パネルの表示部の外側に配された透明な基材部を前記他方の表示パネルの表示部に重ねることが好ましい。このように駆動部を他のパネルの表示部の裏面側に配置することで、複合型表示装置全体をコンパクトに構成することができる。なお、この構成では、各表示パネルを、ＥＬ素子（エレクトロルミネセンス素子）等を用いた自発光型の表示パネルで構成した場合には、表示光をアクティブマトリクス基板側から出射するボトムエミッション型の表示パネルを用いることが好ましい。この場合、駆動部に画像データ等を入力するための端子部が各表示パネルの裏面側に配置されるため、パネル接合後の実装が可能となる。
【００１２】
また、本発明の複合型表示装置は、透明な基材を用いた複数の表示パネルが互いに接合され、前記各表示パネルの出力画像が複合されて一の画像表示がなされる複合型の表示装置であって、互いに接合された複数の表示パネルからなるパネルユニットを複数備え、前記各パネルユニットにおいて、互いに隣接する一方の表示パネルの表示部の外側に配された透明な基材部は他方の表示パネルの表示部に重ねられ、前記各表示パネルの表示部が平面視で隙間なく一方向に隣接配置されて一つの表示面が構成され、互いに隣接する一方のパネルユニットの表示面の外側に配された透明な基材部は他方のパネルユニットの表示面に重ねられ、前記各パネルユニットの表示面が、パネルユニット内の表示パネルの並び方向と異なる方向に平面視で隙間なく隣接配置されたことを特徴とする。
【００１３】
本構成では、各パネルユニット内の表示パネルの配置関係について見ると、隣接する一方の表示パネルにおいて表示部の外側に配される余分な基材部は、他方の表示パネルの表示部に重ねて配置され、平面視したときに、各表示部が隙間なく一方向に連続して配置されている。このため、隣接する表示部の間隔を、表示パネルを重ねて接合する際の位置合わせにより高精度に制御でき、各パネルユニットのそれぞれについて接合部における画像の分断を完全に解消することができる。
【００１４】
一方、パネルユニット同士の配置関係について見ると、隣接する一方のパネルユニットにおいて表示面の外側に配される余分な基材部は、他方のパネルユニットの表示面に重ねて配置され、平面視したときに、各表示面が前記一方向（パネルユニット内の表示パネルの並び方向）と異なる方向に隙間なく連続して配置されている。このため、隣接する表示面の間隔を、パネルユニットを重ねて接合する際の位置合わせにより高精度に制御でき、パネルユニット同士の接合部における画像の分断を完全に解消することができる。
【００１５】
このように本構成では、複合型表示装置を構成する各表示パネルの表示部が２次元的な広がりを持って隙間なく隣接して配置されるため、更に大型の表示装置を実現することができる。
なお、前記各表示パネルの表示部において、隣接する他の表示パネルの基材部と平面的に重なる領域は、それ以外の領域に比べて表示の輝度が若干小さくなるため、両領域の輝度差を補償するための補償駆動が行なわれることが望ましい。
【００１６】
【発明の実施の形態】
［第１実施形態］
以下、図１，図２を参照しながら本発明の第１実施形態に係る投射型表示装置について説明する。図１は本実施形態の複合型表示装置の全体構成を示す概略図、図２はその要部を拡大して示す概略断面図である。なお、以下の全ての図面においては、図面を見やすくするため、各構成要素の膜厚や寸法の比率などは適宜異ならせてある。
【００１７】
図１に示すように、本実施形態の複合型表示装置は、複数（本実施形態では例えば３つ）の表示パネル１０，２０，３０が互いに接合されて構成されている。各表示パネル１０〜３０は、有機ＥＬパネルや反射型液晶パネル等の自発光型又は反射型の表示パネルとして構成されるが、本実施形態では、例えば、ボトムエミッション型の有機ＥＬパネルを例に挙げて説明する。
【００１８】
各表示パネルには周辺駆動回路（駆動部）を内蔵したアクティブマトリクス基板が用いられており、表示パネル１０，２０，３０は、中央に複数の画素Ｐからなる略矩形の表示部１０Ｂ，２０Ｂ，３０Ｂを備え、この表示部の１端辺に各画素Ｐをマトリクス駆動するための駆動部１０Ｃ，２０Ｃ，３０Ｃを備えている。各駆動部１０Ｃ，２０Ｃ，３０Ｃの端部には、それぞれ外部装置から画像データを入力するための端子部１０Ｄ，２０Ｄ，３０Ｄが設けられている。なお、図１では、表示部１０Ｂ〜３０Ｂの１端辺全てを駆動部１０Ｃ〜３０Ｃとして示しているが、実際には、前記領域よりも狭い（即ち、前記表示部端辺の長さよりも短い）領域に駆動部を形成することも勿論可能である。この場合には、前記表示領域端辺の領域の内、駆動部の形成されない一部の領域が基材部となる。
【００１９】
表示パネルを構成する基板（アクティブマトリクス基板やこれに対向配置された対向基板）にはガラス等の透光性の基材が用いられている。本明細書では、表示部及び駆動部以外の領域を基材部といい、各表示パネル１０，２０，３０には駆動部１０Ｃ〜３０Ｃの形成されない端辺に基材部１０Ａ，２０Ａ，３０Ａが配置されている。この基材部は表示パネルを製造する際のマージンとして設けられたもので、回路素子や配線等の形成されない基材のみからなる透光性の領域である。なお、図１では、駆動部１０Ｃ〜３０Ｃに対向する端辺にのみ基材部１０Ａを配置した例を示しているが、残りの２つの端辺に基材部を設けることも可能である。
【００２０】
図１，図２に示すように、表示パネル１０〜３０は、駆動部１０Ｃ〜３０Ｃの設けられた基板端部が互いに重なるように階段状に積層されており、表示パネル２０の表示部２０Ｂは表示パネル１０の駆動部１０Ｃの上に重ねられ、表示パネル２０の透明な基材部２０Ａは表示パネル１０の表示部１０Ｂの上に重ねられている。そして、表示パネル１０，２０は、表示部１０Ｂ，２０Ｂが隙間なく隣接するように正確に位置合わせされ、駆動部１０Ｃと表示部２０Ｂとの重なった領域、及び、表示部１０Ｂと基材部２０Ａとが重なった領域において接合される。なお、表示光Ｌが接合部で散乱されないように、接着剤は、アクティブマトリクス基板１１０や封止基板１２０と同程度の屈折率を有する材料であることが望ましい。同様に、表示パネル３０の表示部３０Ｂは表示パネル２０の駆動部２０Ｃの上に正確に位置合わせして重ねられており、平面視したときに、表示部１０Ｂ，２０Ｂ，３０Ｂが隙間なく隣接して配置され、一つの連続した表示面を構成している。
【００２１】
そして、これらの表示パネル１０〜３０には、分割された画像データがそれぞれ表示面の裏面側に配置された端子部１０Ｄ，２０Ｄ，３０Ｄを介して入力され、前記表示部１０Ｂ〜３０Ｂに出力された画像が複合されて一の画像表示がなされる。なお、各表示部において、他の表示パネルの基材部と重なる領域は、それ以外の領域に比べて表示の輝度が若干小さくなるため、補正駆動により輝度を均一化することが望ましい。
【００２２】
このように本実施形態の複合型表示装置では、互いに隣接して配置される表示パネルの内、一方の表示パネルの表示部の外側に配された余分な基材部１０Ａを他方の表示パネルの表示部に重ねて配置しているため、突き合わせにより各表示パネルを接合する従来のものに比べて、基材部１０Ａを切削するための加工処理が不要となり、又、接合部における接着剤の厚み等が問題となることもない。
【００２３】
また、隣接する表示部の間隔は、表示パネルを重ねて接合する際の位置合わせにより高精度に制御できるため、基板端部の加工精度により前記間隔が決定される従来のものに比べて、接合部の目立ち方を少なくすることができる。
さらに、本実施形態では、各表示パネル１０〜３０を自発光型の表示パネルとし、アクティブマトリクス基板に内蔵された駆動部を他の表示パネルの表示部の裏面側に配置しているため、表示装置を小型化できる。
また、本実施形態では、各表示パネルをボトムエミッション型の構造としているため、端子部１０Ｄ〜３０Ｄが接合部の裏面側に配置される。このため、パネル接合後の実装が可能となる。
【００２４】
［第２実施形態］
次に、図３を参照しながら、本発明の第２実施形態に係る複合型表示装置について説明する。
本実施形態は、表示部の２端辺に駆動部を有する表示パネルを複数（例えば３つ）接合して表示装置を構成したものである。すなわち、表示装置を構成する自発光型の各表示パネル１１，２１，３１には、中央の表示部１１Ｂ，２１Ｂ，３１Ｂの隣接する２端辺に駆動部１１Ｃ，２１Ｃ，３１Ｃが設けられ、それ以外の２端辺に透明な基材部１１Ａ，２１Ａ，３１Ａが設けられている。
【００２５】
各表示パネル１１〜３１は、接合部に透明な基材部が配置され且つ一つの端辺に設けられた駆動部が互いに連接するように、前記連接される駆動部に隣接するパネル端部が階段状に積層されている。すなわち、連接されない他方の端辺に設けられた表示パネル１１，２１の駆動部の上には、それぞれ表示パネル２１，３１の表示部２１Ｂ，３１Ｂが重ねて配置され、この表示パネル２１，３１の透明な基材部２１Ａ，３１Ａはそれぞれ表示パネル１１，２１の表示部１１Ｂ，２１Ｂの上に重ねて配置されている。これにより、平面視したときに、表示部１１Ｂ〜３１Ｂが隙間なく連続して配置され、一つの連続した表示面が構成されている。
したがって、本実施形態でも、従来のものよりも接合部の目立たない複合型の表示装置を容易に得ることができる。
【００２６】
［第３実施形態］
次に、図４を参照しながら、本発明の第３実施形態の複合型表示装置について説明する。
本実施形態は、表示部の３端辺に駆動部を有する表示パネルを複数（例えば３つ）接合して表示装置を構成したものである。すなわち、表示装置を構成する自発光型の各表示パネル１２，２２，３２には、中央の表示部１２Ｂ，２２Ｂ，３２Ｂの隣接する３端辺に駆動部１２Ｃ，２２Ｃ，３２Ｃが設けられ、それ以外の１端辺に透明な基材部１２Ａ，２２Ａ，３２Ａが設けられている。
【００２７】
各表示パネル１２〜３２は、接合部に透明な基材部が配置され且つ各表示パネルにおいて対向する２端辺に設けられた駆動部が互いに連接するように、前記連接される駆動部に隣接するパネル端部が階段状に積層されている。本構成では、表示パネル１２，２２において基材部１２Ａ，２２Ａに対向する駆動部の上には、それぞれ表示パネル２２，３２の表示部２２Ｂ，３２Ｂが重ねて配置されており、更に、この表示パネル２２，３２の透明な基材部２２Ａ，３２Ａはそれぞれ表示パネル１２，２２の表示部１２Ｂ，２２Ｂの上に重ねて配置されている。これにより、平面視したときに、表示部１２Ｂ〜３２Ｂが隙間なく隣接して配置され、一つの連続した表示面が構成されている。
したがって、本実施形態でも、従来のものよりも接合部の目立たない複合型の表示装置を容易に得ることができる。
【００２８】
［第４実施形態］
次に、図５，図６を参照しながら、本発明の第４実施形態に係る複合型表示装置について説明する。
本実施形態は、表示部の１端辺に駆動部を有する表示パネルを複数（例えば４つ）接合して表示装置を構成したものである。すなわち、図５に示すように、表示装置を構成する自発光型の各表示パネル１３，２３，３３，４３には、中央の表示部１３Ｂ，２３Ｂ，３３Ｂ，４３Ｂの１端辺に駆動部１３Ｃ，２３Ｃ，３３Ｃ，４３Ｃが設けられ、それ以外の３端辺に透明な基材部１３Ａ，２３Ａ，３３Ａ，４３Ａが設けられている。なお、各表示パネル１４〜４３は全く同様の構成を有するため、図５ではこれらを代表して表示パネル１３の構成のみ示している。
【００２９】
本実施形態では、駆動部が互いに連接するようにパネル端部を階段状に積層された複数の表示パネルによって一つのパネルユニットが構成され、このようなユニットを、ユニット内の表示パネルの並び方向と異なる方向に階段状に複数積層することで、複数の表示パネルを２次元的に並べて配置している。
【００３０】
具体的には、図６に示すように、表示パネル１３，２３は、駆動部１３Ｃ，２３Ｃが互いに連接するように、駆動部に隣接するパネル端部が階段状に積層されて第１のパネルユニットを構成している。この際、表示パネル２３の表示部２３Ｂは、表示パネル１３の駆動部１３Ｃに隣接する基材部の上に重ねて配置され、表示パネル１３の表示部１３Ｂの上には表示パネル２３の基材部２３Ａが配置される。これにより、ユニット中央部には、平面視で、表示部１３Ｂ，２３Ｂが隙間なく隣接して配置された表示面が形成され、この表示面の一端辺側に駆動部１３Ｃ，２３Ｃが配置される。そして更に、この駆動部１３Ｃ，２３Ｃの対向する端辺側には透明な基材部１３Ａ，２３Ａが配置される。同様に、表示パネル３３，４３は、駆動部３３Ｃ，４３Ｃが互いに連接するように、駆動部に隣接するパネル端部が階段状に積層され、表示部３３Ｂ，４３Ｂが隙間なく隣接して配置された第２のパネルユニットを構成している。
【００３１】
そして、第１のパネルユニットの駆動部１３Ｃ，２３Ｃの上に、第２のパネルユニットの表示面３３Ｂ，４３Ｂが積層され、第２のパネルユニットにおける駆動部３３Ｃ，４３Ｃに対向する基材部が第１のパネルユニットの表示部１３Ｂ，２３Ｂの上に積層されている。この際、表示パネル２３と表示パネル３３のパネル端部が干渉しないように、第２のパネルユニットの位置を、第１のパネルユニット内の各表示パネル１３，２３の並び方向に沿って、前記表示パネル１３，２３の重なり幅（即ち、接合領域に配された各表示パネル１３，２３の基材部の合計幅）だけずらしている。これにより、平面視したときに、表示部１３Ｂ〜４３Ｂが２次元的な広がりを持って隙間なく隣接して配置され、一つの表示面３が構成されている。
【００３２】
したがって、本実施形態では、前記第１実施形態と同様に接合部の目立たない表示装置を構成できる他、複数の表示パネルを２次元的に並べて配置することで、更なる大型化を図ることができる。
【００３３】
［第５実施形態］
次に、図７，図８を参照しながら、本発明の第５実施形態に係る複合型表示装置について説明する。
本実施形態の複合型表示装置は、表示部の２端辺に駆動部を有する表示パネルを複数（例えば４つ）接合して表示装置を構成したものである。すなわち、図７に示すように、表示装置を構成する自発光型の各表示パネル１４，２４，３４，４４には、中央部の表示部１４Ｂ，２４Ｂ，３４Ｂ，４４Ｂの隣接する２端辺に駆動部１４Ｃ，２４Ｃ，３４Ｃ，４４Ｃが設けられ、それ以外の２端辺に透明な基材部１４Ａ，２４Ａ，３４Ａ，４４Ａが設けられている。ここで、各表示パネルにおいて、少なくとも表示部の１端辺に設けられた駆動部は、その表示部端辺の長さと同じかそれ以下の範囲に設けられている。なお、各表示パネル１４〜４４は全く同様の構成を有するため、図７ではこれらを代表して表示パネル１４の構成のみ示している。
【００３４】
本実施形態では、前記第４実施形態と同様に、駆動部が互いに連接するようにパネル端部を階段状に積層された複数の表示パネルによって一つのパネルユニットが構成され、このようなユニットが、前記ユニット内の表示パネルの並び方向と異なる方向に階段状に複数積層されることで、表示パネルが２次元的に並べて配置された表示装置が構成されている。
【００３５】
各表示パネル１４〜３４の具体的な配置は、前記第４実施形態のものと同様である。すなわち、図８に示すように、表示パネル１４，２４は、駆動部１４Ｃ，２４Ｃが互いに連接するように、駆動部に隣接するパネル端部が階段状に積層されている。これにより、平面視で、中央部に表示部１４Ｂ，２４Ｂが隙間なく連続して配置された表示面を有する第１のパネルユニットが構成される。この第１のパネルユニットでは、前記表示面の隣接する２端辺には駆動部１４Ｃ，２４Ｃが配置され、残りの２端辺には透明な基材部１４Ａ，２４Ａが配置されている。同様に、表示パネル３４，４４は、駆動部３４Ｃ，４４Ｃが互いに連接するように、駆動部に隣接するパネル端部が階段状に積層され、表示部３４Ｂ，４４Ｂが隙間なく連続して配置された第２のパネルユニットを構成している。
【００３６】
そして、第１のパネルユニットと第２のユニットが互いに接合されて複合型表示装置が構成される。この際、接合部にパネルユニットの透明な基材部が配置され且つ一つの端辺に設けられた駆動部が互いに連接するように、前記連接される駆動部に隣接するパネルユニット端部が階段状に積層されている。すなわち、連接されない他の端辺に設けられた第１のパネルユニットの駆動部（図８中、表示パネル１４，２４の下側の駆動部）の上には、第２のパネルユニットの表示部３４Ｂ，４４Ｂが重ねて配置され、接合領域に配された第２のパネルユニットの透明な基材部３４Ａ，４４Ａは第１のパネルユニットの表示部１４Ｂ，２４Ｂの上に重ねて配置されている。そして、これにより、平面視したときに、表示部１４Ｂ〜４４Ｂが隙間なく隣接して配置され、一つの連続した表示面が構成されている。
【００３７】
なお、表示パネル２４と表示パネル３４とのパネル端部が干渉しないように、第２のパネルユニットの位置を、第１のパネルユニット内の各表示パネル１４，２４の並び方向に沿って、前記表示パネル１４，２４の重なり幅（即ち、接合領域に配された各表示パネル１４，２４の基材部の合計幅）だけずらしている。これにより、平面視したときに、表示部１４Ｂ〜４４Ｂが２次元的な広がりを持って隙間なく隣接して配置され、一つの表示面４が構成されている。
したがって、本実施形態でも、接合部の目立たない大画面表示を実現できる。
【００３８】
［第６実施形態］
次に、図９，図１０を参照しながら、本発明の第６実施形態に係る複合型表示装置について説明する。
本実施形態は、表示部の対向する２端辺に駆動部を有する表示パネルを複数（例えば３つ）接合して表示装置を構成したものである。すなわち、図９に示すように、表示装置を構成する各表示パネル１５，２５，３５には、中央部の表示部１５Ｂ，２５Ｂ，３５Ｂの対向する２端辺に駆動部１５Ｃ，２５Ｃ，３５Ｃが設けられ、それ以外の対向する２端辺に透明な基材部１５Ａ，２５Ａ，３５Ａが設けられている。なお、表示パネル１５〜３５は全く同様の構成を有するため、図９ではこれらを代表して表示パネル１５の構成のみ示している。
【００３９】
各表示パネル１５〜３５は、図１０に示すように、駆動部が互いに連接するように、前記連接される駆動部に隣接するパネル端部が重ねて配置されている。この際、表示パネル１５，２５，３５のパネル端部の重なり方向が、前記表示パネル１５〜３５の並び方向に対して互い違いとなるように配置されている。すなわち、連続する３つの表示パネル１５〜３５の内、中央の表示パネル２５の対向する２端辺に設けられた基材部２５Ａの上には、それぞれ表示パネル１５，３５の表示部１５Ｂ，３５Ｂが積層され、表示パネル２５の表示部２５Ｂの上に、表示パネル１５，３５の透明な基材部１５Ａ，３５Ａが積層されている。これにより、平面視したときに、表示部１５Ｂ〜３５Ｂが隙間なく隣接して配置され、一つの連続した表示面５が構成されている。
【００４０】
したがって、本実施形態では、前記第１実施形態と同様に接合部の目立たない表示装置を構成できる他、パネル端部の重なり方向を互い違いに構成しているため、表示装置全体の厚みが表示パネル２枚分となり、薄型化できる。
なお、上述したように本実施形態では、各表示パネル１５〜３５は基材部を介して互い違いに重ねられるため、各表示パネルは自発光型又は反射型のものに限らず、透過型の表示パネルとして構成することが可能である。
【００４１】
なお、本発明は上述の実施形態に限定されるものではなく、本発明の趣旨を逸脱しない範囲で種々変形して実施することができる。
例えば、上述したように前記第１〜第５実施形態では、各表示パネルを自発光型又は反射型の表示パネルとしている。これは、仮に各表示パネルを透過型の表示パネルとした場合、駆動部により光源光が遮光されることで、この駆動部の上に配置された表示部において著しい輝度低下を生じるためである。しかしながら、画素ピッチが広く駆動回路を画素間の領域に配置できる場合には、このような輝度低下が生じないため、各表示パネルを透過型パネルとすることも可能である。
【図面の簡単な説明】
【図１】本発明の第１実施形態に係る複合型表示装置の概略斜視図である。
【図２】同、複合型表示装置の要部構成を示す概略断面図である
【図３】本発明の第２実施形態に係る複合型表示装置の概略斜視図である。
【図４】本発明の第３実施形態に係る複合型表示装置の概略斜視図である。
【図５】本発明の第４実施形態に係る表示パネルの概略平面図である。
【図６】本発明の第４実施形態に係る複合型表示装置の概略平面図である。
【図７】本発明の第５実施形態に係る表示パネルの概略平面図である。
【図８】本発明の第５実施形態に係る複合型表示装置の概略平面図である。
【図９】本発明の第６実施形態に係る表示パネルの概略平面図である。
【図１０】本発明の第６実施形態に係る複合型表示装置の概略平面図。
【図１１】従来の複合型表示装置の概略平面図である。
【符号の説明】
１０〜１５，２０〜２５，３０〜３５，４３，４４…表示パネル
１０Ａ〜１５Ａ，２０Ａ〜２５Ａ，３０Ａ〜３５Ａ，４３Ａ〜４４Ａ…基材部
１０Ｂ〜１５Ｂ，２０Ｂ〜２５Ｂ，３０Ｂ〜３５Ｂ，４３Ｂ〜４４Ｂ…表示部
１０Ｃ〜１５Ｃ，２０Ｃ〜２５Ｃ，３０Ｃ〜３５Ｃ，４３Ｃ〜４４Ｃ…駆動部
【図１】
2004251981.tif 000003
【図２】
2004251981.tif 000004
【図３】
2004251981.tif 000005
【図４】
2004251981.tif 000006
【図５】
2004251981.tif 000007
【図６】
2004251981.tif 000008
【図７】
2004251981.tif 000009
【図８】
2004251981.tif 000010
【図９】
2004251981.tif 000011
【図１０】
2004251981.tif 000012
【図１１】
2004251981.tif 000013